(57)【要約】 【課題】  省スペースでコスト低減が図られたＬＣＤのデジタルビデオ信号処理装置を提供する。【解決手段】  デジタル画像信号を保存するディスプレイメモリ、回路板に設置され、デジタル画像信号に対応する画像サイズを調整し、第一表示データを出力するスケーラー、複数のディスプレイセルを含み、それぞれ対応する複数のデータ電極と複数のゲート電極に接続され、第二表示データに基づいて対応する画像データを表示する液晶ディスプレイパネル、データドライバとゲートドライバを含み、それぞれ対応するデータ電極とゲート電極を駆動する液晶ディスプレイ駆動回路と、回路板と液晶ディスプレイ駆動回路の一つにのみ設置され、第一表示データの明度を調整し、調整結果に基づいて第二表示データを出力するガンマ補正を含む液晶ディスプレイのデジタルビデオ信号処理装置。【選択図】  図１５
2005326856.tif 000002
【特許請求の範囲】
【請求項１】
デジタル画像信号を保存するディスプレイメモリ、
回路板に設置され、前記デジタル画像信号に対応する画像サイズを調整し、第一表示データを出力するスケーラー、
複数のディスプレイセルを含み、それぞれ対応する複数のデータ電極と複数のゲート電極に接続され、第二表示データに基づいて対応する画像データを表示する液晶ディスプレイパネル、
データドライバとゲートドライバを含み、それぞれ対応する前記データ電極と前記ゲート電極を駆動する液晶ディスプレイ駆動回路、及び
前記回路板と液晶ディスプレイ駆動回路のいずれか一つにのみ設置され、前記第一表示データの明度を調整し、調整結果に基づいて前記第二表示データを出力するガンマ補正、を含む液晶ディスプレイのデジタルビデオ信号処理装置。
【請求項２】
回路板に設置され、液晶ディスプレイパネルの液晶ディスプレイモジュールの特定パラメータのステータス情報を調整するオンスクリーンディスプレイ装置を含む請求項１に記載の液晶ディスプレイのデジタルビデオ信号処理装置。
【請求項３】
回路板に設置され、画像処理の動作を行うマイクロコントロールユニットを含む請求項１に記載の液晶ディスプレイのデジタルビデオ信号処理装置。
【請求項４】
回路板に設置され、画像処理の動作を行い、オンスクリーンディスプレイ装置が表示する外観を制御するマイクロコントロールユニットを更に含む請求項２に記載の液晶ディスプレイのデジタルビデオ信号処理装置。
【請求項５】
デジタル画像信号を保存するディスプレイメモリ、
第一回路板に設置され、前記デジタル画像信号に対応する画像サイズを調整し、第一表示データを出力するスケーラー、
複数のディスプレイセルを含み、対応する複数のデータ電極と複数のゲート電極にそれぞれ接続され、第二表示データに基づいて対応する画像データを表示する液晶ディスプレイパネル、
データドライバとゲートドライバを含み、それぞれ対応する前記データ電極と前記ゲート電極を駆動する液晶ディスプレイ駆動回路、及び
前記第一回路板と液晶ディスプレイ駆動回路との間に接続された第二回路板に設置され、前記第一表示データの明度を調整し、調整結果に基づいて前記第二表示データを出力するガンマ補正を含む液晶ディスプレイのデジタルビデオ信号処理装置。
【請求項６】
第二回路板、液晶ディスプレイ駆動回路と、液晶ディスプレイパネルは、液晶ディスプレイモジュールを構成する請求項５に記載の液晶ディスプレイのデジタルビデオ信号処理装置。
【請求項７】
デジタル画像信号を保存するディスプレイメモリ、
第一回路板に設置され、前記デジタル画像信号に対応する画像サイズを調整し、第一表示データを出力するスケーラーを含み、
複数のディスプレイセルを含み、対応する複数のデータ電極と複数のゲート電極にそれぞれ接続され、第二表示データに基づいて対応する画像データを表示する液晶ディスプレイパネル、
データドライバとゲートドライバを含み、それぞれ対応する前記データ電極と前記ゲート電極を駆動する液晶ディスプレイ駆動回路、及び
前記液晶ディスプレイ駆動回路と前記スケーラーの間に接続される第二回路板を含む液晶ディスプレイモジュール、及び
前記第一回路板と前記第二回路板、又は、前記第二回路板と前記液晶ディスプレイ駆動回路に設置され、前記第一表示データの明度を調整し、調整結果に基づいて前記第二表示データを出力する複数のガンマ補正を含む液晶ディスプレイのデジタルビデオ信号処理装置。
【請求項８】
デジタル画像信号を保存するディスプレイメモリを含み、
複数のディスプレイセルを含み、対応する複数のデータ電極と複数のゲート電極にそれぞれ接続され、表示データに基づいて対応する画像データを表示する液晶ディスプレイパネル、
データドライバとゲートドライバを含み、それぞれ対応する前記データ電極と前記ゲート電極を駆動する液晶ディスプレイ駆動回路、及び
第一回路板に設置され、前記液晶ディスプレイ駆動回路を制御し、前記ディスプレイセルの表示順とタイミングを決めるタイミング制御装置を含む液晶ディスプレイモジュール、及び
前記第一回路板と前記液晶ディスプレイ駆動回路のいずれか一つのみに設置され、前記デジタル画像信号の明度を調整し、調整結果に基づいて前記表示データを出力するガンマ補正を含む液晶ディスプレイのデジタルビデオ信号処理装置。
【請求項９】
第一回路板と液晶ディスプレイモジュールの間に接続された第二回路板に設置され、液晶ディスプレイパネルの液晶ディスプレイモジュールの特定パラメータのステータス情報を調整するオンスクリーンディスプレイ装置を含む請求項８に記載の液晶ディスプレイのデジタルビデオ信号処理装置。
【請求項１０】
デジタル画像信号を保存するディスプレイメモリを含み、
複数のディスプレイセルを含み、対応する複数のデータ電極と複数のゲート電極にそれぞれ接続され、表示データに基づいて対応する画像データを表示する液晶ディスプレイパネル、
データドライバとゲートドライバを含み、それぞれ対応する前記データ電極と前記ゲート電極を駆動する液晶ディスプレイ駆動回路、及び
第一回路板に設置され、前記液晶ディスプレイ駆動回路を制御し、前記ディスプレイセルの表示順とタイミングを決めるタイミング制御装置を含む液晶ディスプレイモジュール、及び
前記ディスプレイメモリと液晶ディスプレイモジュールの間に接続された第二回路板に設置され、前記デジタル画像信号の明度を調整し、調整結果に基づいて前記表示データを出力するガンマ補正を含む液晶ディスプレイのデジタルビデオ信号処理装置。
【請求項１１】
デジタル画像信号を保存するディスプレイメモリ、
複数のディスプレイセルを含み、対応する複数のデータ電極と複数のゲート電極にそれぞれ接続され、表示データに基づいて対応する画像データを表示する液晶ディスプレイパネル、
データドライバとゲートドライバを含み、それぞれ対応する前記複数のデータ電極と前記複数のゲート電極を駆動する液晶ディスプレイ駆動回路、及び
第一回路板に設置され、前記液晶ディスプレイ駆動回路を制御し、前記ディスプレイセルの表示順とタイミングを決めるタイミング制御装置を含む液晶ディスプレイモジュール、
前記ディスプレイメモリと液晶ディスプレイモジュールの間に接続された第二回路板、及び
前記第一回路板、前記第二回路板、前記液晶ディスプレイ駆動回路の内のいずれか二つにのみ設置され、前記デジタル画像信号の明度を調整し、調整結果に基づいて前記表示データを出力する複数のガンマ補正を含む液晶ディスプレイのデジタルビデオ信号処理装置。
【請求項１２】
デジタル画像信号を保存するディスプレイメモリ、
第一回路板に設置され、前記デジタル画像信号に対応する画像サイズを調整し、第一表示データを出力するスケーラーを含み、
複数のディスプレイセルを含み、対応する複数のデータ電極と複数のゲート電極にそれぞれ接続され、第二表示データに基づいて対応する画像データを表示する液晶ディスプレイパネル、
データドライバとゲートドライバを含み、それぞれ対応する前記データ電極と前記ゲート電極を駆動する液晶ディスプレイ駆動回路、及び
前記第一回路板に接続された第二回路板に設置され、前記液晶ディスプレイ駆動回路を制御し、前記ディスプレイセルの表示順とタイミングを決めるタイミング制御装置を含む液晶ディスプレイモジュール、及び
前記第一回路板、前記第二回路板、前記液晶ディスプレイ駆動回路のいずれか一つにのみ設置され、前記第一表示データの明度を調整し、調整結果に基づいて前記第二表示データを出力するガンマ補正を含む液晶ディスプレイのデジタルビデオ信号処理装置。
【請求項１３】
デジタル画像信号を保存するディスプレイメモリ、
第一回路板に設置され、前記デジタル画像信号に対応する画像サイズを調整し、第一表示データを出力するスケーラー、
複数のディスプレイセルを含み、対応する複数のデータ電極と複数のゲート電極にそれぞれ接続され、第二表示データに基づいて対応する画像データを表示する液晶ディスプレイパネル、
データドライバとゲートドライバを含み、それぞれ対応する前記データ電極と前記ゲート電極を駆動する液晶ディスプレイ駆動回路、
第二回路板に設置され、前記液晶ディスプレイ駆動回路を制御し、前記ディスプレイセルの表示順とタイミングを決めるタイミング制御装置を含む液晶ディスプレイモジュール、及び
前記第一回路板、前記第二回路板、前記液晶ディスプレイ駆動回路の内のいずれか二つにのみ設置され、前記第一表示データの明度を調整し、調整結果に基づいて前記第二表示データを出力する複数のガンマ補正を含む液晶ディスプレイのデジタルビデオ信号処理装置。
【請求項１４】
液晶ディスプレイ駆動回路は、ディスプレイセルの表示極性を調整する液晶極性反転回路を更に含む請求項１、５、７、８、１０、１１、１２、１３のいずれか１項に記載の液晶ディスプレイのデジタルビデオ信号処理装置。
【請求項１５】
スケーラーは、液晶ディスプレイパネルのサイズに基づいてデジタル画像信号に対応する画像サイズを調整する請求項１、５、７、１２、１３のいずれか１項に記載の液晶ディスプレイのデジタルビデオ信号処理装置。
【請求項１６】
液晶ディスプレイ駆動回路は、デジタル−アナログコンバータを更に含み、第二表示データをアナログ信号に変換し、対応するデータ電極に出力する請求項１、５、７、１２、１３のいずれか１項に記載の液晶ディスプレイのデジタルビデオ信号処理装置。
【請求項１７】
液晶ディスプレイ駆動回路は、デジタル−アナログコンバータを更に含み、表示データをアナログ信号に変換し、対応するデータ電極に出力する請求項８、１０、１１のいずれか１項に記載の液晶ディスプレイのデジタルビデオ信号処理装置。
【請求項１８】
第一回路板に設置され、液晶ディスプレイパネルの液晶ディスプレイモジュールの特定パラメータのステータス情報を調整するオンスクリーンディスプレイ装置を更に含む請求項５、７、１２、１３のいずれか１項に記載の液晶ディスプレイのデジタルビデオ信号処理装置。
【請求項１９】
第一回路板に設置され、画像処理の動作を行い、オンスクリーンディスプレイ装置が表示する外観を制御するマイクロコントロールユニットを更に含む請求項１８に記載の液晶ディスプレイのデジタルビデオ信号処理装置。
【請求項２０】
第一回路板に設置され、画像処理の動作を行うマイクロコントロールユニットを更に含む請求項５、７、１２、１３のいずれか１項に記載の液晶ディスプレイのデジタルビデオ信号処理装置。
【請求項２１】
第二回路板に設置され、画像処理の動作を行うマイクロコントロールユニットを更に含む請求項８、１０、１１のいずれか１項に記載の液晶ディスプレイのデジタルビデオ信号処理装置。
【請求項２２】
第二回路板に設置され、液晶ディスプレイパネルの液晶ディスプレイモジュールの特定パラメータのステータス情報を調整するオンスクリーンディスプレイ装置を更に含む請求項１０又は１１に記載の液晶ディスプレイのデジタルビデオ信号処理装置。
【請求項２３】
第二回路板に設置され、画像処理の動作を行い、オンスクリーンディスプレイ装置が表示する外観を制御するマイクロコントロールユニットを更に含む請求項９又は２２に記載の液晶ディスプレイのデジタルビデオ信号処理装置。
【発明の詳細な説明】
【技術分野】
【０００１】
本発明は、デジタルビデオ信号処理装置に関し、特に、液晶ディスプレイパネル（ＬＣＤｓ）のガンマ補正回路を統合したデジタルビデオ信号処理装置に関するものである。
【背景技術】
【０００２】
ガンマ補正は、ＬＣＤディスプレイの画質を改善する。特定のグレーレベルの明度は、ガンマ補正によって調整されたガンマ値によって決められ、実物そっくりのディスプレイをシミュレートする。
【０００３】
図１は、従来のＬＣＤの画像信号処理システムを示している。デジタル画像信号は、ディスプレイメモリ１０に保存される。また、ビデオ信号は、多くの異なる解像度を有することできるが、ＬＣＤの解像度と画素位置は、固定されている。画像解像度の調整にはスケーラー１２２が必要となる。よって、ディスプレイメモリ１０から出力された信号は、ＬＣＤパネル１８のサイズに基づいて、スケーラー１２２によってスケールされる。
【０００４】
従来のデジタルガンマ補正方法と装置（特許文献１参照）のガンマ補正１２０Ａは、デジタルビデオ信号に対応した表示データの明度を調整する。
【０００５】
図１では、従来のスケーラー１２２とガンマ補正１２０Ａは、第一回路板１２に設置される。第一回路板１２は、その上に、オンスクリーンディスプレイ（ｏｎ  ｓｃｒｅｅｎ  ｄｉｓｐｌａｙ：以下、ＯＳＤと称するときがある。）装置１２４と、マイクロコントロールユニット（ｍｉｃｒｏ  ｃｏｎｔｒｏｌ  ｕｎｉｔ：以下、ＭＣＵと称するときがある。）１２６を更に含む。ＯＳＤ１２４は、ＬＣＤを調整するための特定パラメータのステータス情報を表示する。特定パラメータは、明度、コントラスト、ディスプレイの同期に関連する。ＭＣＵ１２６は、信号符号化又はデインタレース処理（ｄｅ−ｉｎｔｅｒｌａｃｅｒ）を含むビデオ信号と、ＯＳＤ１２４の表示を処理する。ここでは、第一回路板１２の上の回路は、ホストＰＣとＬＣＤモジュール１００間の信号伝達を処理する。
【０００６】
次に、第一回路板１２によって処理された信号は、ＬＣＤモジュール１００に出力される。ＬＣＤモジュール１００は、ＬＣＤ駆動回路１６、ＬＣＤパネル１８、タイミング制御装置１４２を含む第二回路板１４を含む。タイミング制御装置１４２は、ＬＣＤ駆動回路１６を制御し、ＬＣＤパネル１８のディスプレイセルの表示順とタイミングを決める。
【０００７】
ＬＣＤモジュール１００は、ＬＣＤ駆動回路１６と第一回路板１２間に接続された第二回路板１４を含み、第二回路板１４はその上にガンマ補正１２０Ｂを有し、第二回路板１４で受けたビデオ信号の明度を調節する。
【０００８】
ＬＣＤ駆動回路１６は、反転回路１６２、デジタル‐アナログコンバータ（ＤＡＣ）１６４、データドライバ１６６Ａと、ゲートドライバ１６６Ｂを含む。反転回路１６２は、ディスプレイセルの液晶分子の表示極性を調整する。ＤＡＣ１６４は、デジタル信号をアナログビデオ信号に変換する。また、ＬＣＤ駆動回路１６は、ガンマ補正１２０Ｃを更に含み、ＬＣＤパネル１８に提供するビデオ信号の明度を調整する。
【０００９】
図２は、従来のＬＣＤ駆動回路１６とＬＣＤパネル１８を示す回路図である。ＬＣＤパネル１８は、交差したデータ電極（Ｄ１、Ｄ２・・・）とゲート電極（Ｇ１、Ｇ２・・・）によって形成され、交差したデータ電極とゲート電極は、それぞれディスプレイセルを制御する。例として、交差したデータ電極Ｄ１とゲート電極Ｇ１は、ディスプレイセル１５０を制御する。ディスプレイセルの等価回路は、薄膜トランジスタ（ＴＦＴｓ）（Ｑ１１、Ｑ１２、Ｑ２１、Ｑ２２・・・）と蓄積キャパシタ（Ｃ１１、Ｃ１２、Ｃ２１、Ｃ２２・・・）をそれぞれ含む。ＴＦＴのゲートとドレインは、それぞれゲート電極とデータ電極に接続される。このような接続は、ゲート電極のスキャン信号を用いて同一列（又は、同一スキャンライン）上の全てのＴＦＴをオン／オフにすることができ、データ電極のビデオ信号が対応するディスプレイセルに書き込まれるように制御する。
【００１０】
ゲートドライバ１６６Ｂは、既定の順序に基づいて、各ゲート電極からの一つ、又は、一つ以上のスキャン信号（スキャンパルスとも言われる）を出力する。スキャン信号が一つのゲート電極に入力されたとき、同一列（又はスキャンライン）上の全てのディスプレイセル内にあるＴＦＴは、オンにされ、その他の列又はスキャンラインの全てのディスプレイセル内にあるＴＦＴは、オフにされる。スキャンラインが選ばれたとき、データドライバ１６６Ａは、表示される画像に基づいて対応するデータ電極を通して、ビデオ信号（グレー値）を各列のディスプレイセルに出力する。ゲートドライバ１６６Ｂが連続して全ての列をスキャンした後、単一フレーム（ｆｒａｍｅ）の表示が完成する。そして、かかるディスプレイセルのスキャンを繰返すことで、連続して画像を表示する目的を達成することができる。
【００１１】
【特許文献１】米国特許第５７１０５９４号明細書
【特許文献２】米国特許第６２７１８２２号明細書
【発明の開示】
【発明が解決しようとする課題】
【００１２】
しかしながら、従来のＬＣＤディスプレイシステムでは、ガンマ補正が、その上にスケーラーを有する第一回路板１２、その上にタイミング制御装置１４２を有する第二回路板１４、ＬＣＤ駆動回路１６にセットされている。そのため、回路を配置するために余分なスペースと、類似する機能を備える回路のためのコストが必要となる。また、各ガンマ補正によって影響された最終データ明度は、ガンマ補正プロセスを複雑にする。
【００１３】
そこで、本発明は上記問題を解決するものであり、ＬＣＤのガンマ補正回路を統合したデジタルビデオ信号処理装置を提供するものである。
【課題を解決するための手段】
【００１４】
本発明のデジタルビデオ信号処理装置は、回路板、デジタル画像信号を保存するディスプレイメモリ、前記回路板に設置され、前記デジタル画像信号に対応する画像サイズを調整し、第一表示データを出力するスケーラー、複数のディスプレイセルを含み、それぞれ対応するデータ電極とゲート電極に接続され、第二表示データに基づいて画像を表示するＬＣＤパネル、データドライバとゲートドライバを含み、それぞれ対応する前記データ電極と前記ゲート電極を駆動するＬＣＤ駆動回路、前記回路板のいずれかにのみ設置され、第一表示データのガンマ値を調整し、第二表示データを出力するガンマ補正を含む。
【００１５】
本発明のデジタル画像信号処理装置は、デジタル画像信号を保存するディスプレイメモリ、第一回路板に設置され、前記デジタル画像信号に対応する画像サイズを調整し、第一表示データを出力するように構成されるスケーラー、複数のディスプレイセルを含み、前記対応するデータ電極とゲート電極にそれぞれ接続され、第二表示データに基づいて画像データを表示するＬＣＤパネル、データドライバとゲートドライバを含み、それぞれ対応する前記データ電極と前記ゲート電極を駆動するＬＣＤ駆動回路、前記第一回路板と前記ＬＣＤ駆動回路の間に接続された第二回路板にのみ設置され、前記第一表示データのガンマ値を調整し、前記第二表示データを出力するように構成されるガンマ補正を含む。
【００１６】
本発明のデジタル画像信号処理装置は、デジタル画像信号を保存するディスプレイメモリ、第一回路板に設置され、前記デジタル画像信号に対応する画像サイズを調整し、第一表示データを出力するように構成されるスケーラーを含み、複数のディスプレイセルを含み、対応する複数のデータ電極と複数のゲート電極にそれぞれ接続され、第二表示データに基づいて対応する画像データを表示する液晶ディスプレイパネル、データドライバとゲートドライバを含み、それぞれ対応する前記データ電極と前記ゲート電極を駆動する液晶ディスプレイ駆動回路、及び前記液晶ディスプレイ駆動回路と前記スケーラーの間に接続される第二回路板を含む液晶ディスプレイモジュール、及び前記第一回路板と前記第二回路板にのみ設置され、前記第一表示データの明度を調整し、調整結果に基づいて前記第二表示データを出力する複数のガンマ補正を含む。
【００１７】
本発明のデジタル画像信号処理装置は、デジタル画像信号を保存するディスプレイメモリを含み、複数のディスプレイセルを含み、対応する複数のデータ電極と複数のゲート電極にそれぞれ接続され、表示データに基づいて対応する画像データを表示する液晶ディスプレイパネル、データドライバとゲートドライバを含み、それぞれ対応する前記データ電極と前記ゲート電極を駆動する液晶ディスプレイ駆動回路、及び第一回路板に設置され、前記液晶ディスプレイ駆動回路を制御し、前記ディスプレイセルの表示順とタイミングを決めるタイミング制御装置を含む液晶ディスプレイモジュール、及び前記第一回路板と前記液晶ディスプレイ駆動回路の一つに設置され、前記デジタル画像信号の明度を調整し、調整結果に基づいて前記表示データを出力するガンマ補正を含む。
【００１８】
本発明のデジタル画像信号処理装置は、デジタル画像信号を保存するディスプレイメモリを含み、複数のディスプレイセルを含み、対応する複数のデータ電極と複数のゲート電極にそれぞれ接続され、表示データに基づいて対応する画像データを表示する液晶ディスプレイパネル、データドライバとゲートドライバを含み、それぞれ対応する前記データ電極と前記ゲート電極を駆動する液晶ディスプレイ駆動回路、及び第一回路板に設置され、前記液晶ディスプレイ駆動回路を制御し、前記ディスプレイセルの表示順とタイミングを決めるタイミング制御装置を含む液晶ディスプレイモジュール、及び前記ディスプレイメモリと液晶ディスプレイモジュールの間に接続された第二回路板に設置され、前記デジタル画像信号の明度を調整し、調整結果に基づいて前記表示データを出力するガンマ補正を含む。
【００１９】
本発明のデジタル画像信号処理装置は、デジタル画像信号を保存するディスプレイメモリを含み、複数のディスプレイセルを含み、対応する複数のデータ電極と複数のゲート電極にそれぞれ接続され、表示データに基づいて対応する画像データを表示する液晶ディスプレイパネル、データドライバとゲートドライバを含み、それぞれ対応する前記データ電極と前記ゲート電極を駆動する液晶ディスプレイ駆動回路、及び第一回路板に設置され、前記液晶ディスプレイ駆動回路を制御し、前記ディスプレイセルの表示順とタイミングを決めるタイミング制御装置を含む液晶ディスプレイモジュール、前記ディスプレイメモリと液晶ディスプレイモジュールの間に接続された第二回路板、及び前記第一回路板、前記第二回路板と、前記液晶ディスプレイ駆動回路の中の二つにのみ設置され、前記デジタル画像信号の明度を調整し、調整結果に基づいて前記表示データを出力する複数のガンマ補正を含む。
【００２０】
本発明のデジタル画像信号処理装置は、デジタル画像信号を保存するディスプレイメモリ、第一回路板に設置され、前記デジタル画像信号に対応する画像サイズを調整し、第一表示データを出力するスケーラーを含み、複数のディスプレイセルを含み、対応する複数のデータ電極と複数のゲート電極にそれぞれ接続され、第二表示データに基づいて対応する画像データを表示する液晶ディスプレイパネル、データドライバとゲートドライバを含み、それぞれ対応する前記データ電極と前記ゲート電極を駆動する液晶ディスプレイ駆動回路、及び前記第一回路板に接続された第二回路板に設置され、前記液晶ディスプレイ駆動回路を制御し、前記ディスプレイセルの表示順とタイミングを決めるタイミング制御装置を含む液晶ディスプレイモジュール、及び前記第一回路板、前記第二回路板と、前記液晶ディスプレイ駆動回路の一つにのみ設置され、前記第一表示データの明度を調整し、調整結果に基づいて前記第二表示データを出力するガンマ補正を含む。
【００２１】
本発明のデジタル画像信号処理装置は、デジタル画像信号を保存するディスプレイメモリ、第一回路板に設置され、前記デジタル画像信号に対応する画像サイズを調整し、第一表示データを出力するスケーラーを含み、複数のディスプレイセルを含み、対応する複数のデータ電極と複数のゲート電極にそれぞれ接続され、第二表示データに基づいて対応する画像データを表示する液晶ディスプレイパネル、データドライバとゲートドライバを含み、それぞれ対応する前記データ電極と前記ゲート電極を駆動する液晶ディスプレイ駆動回路、及び第二回路板に設置され、前記液晶ディスプレイ駆動回路を制御し、前記ディスプレイセルの表示順とタイミングを決めるタイミング制御装置を含む液晶ディスプレイモジュール、及び前記第一回路板、前記第二回路板と、前記液晶ディスプレイ駆動回路の中の二つにのみ設置され、前記第一表示データの明度を調整し、調整結果に基づいて前記第二表示データを出力する複数のガンマ補正を含む。
【００２２】
本発明のデジタルビデオ信号処理装置は、回路板、デジタル画像信号を保存するディスプレイメモリ、前記回路板に設置され、前記デジタル画像信号に対応する画像サイズを調整し、第一表示データを出力するスケーラー、複数のディスプレイセルを含み、それぞれ対応するデータ電極とゲート電極に接続され、第二表示データに基づいて画像を表示するＬＣＤパネル、データドライバとゲートドライバを含み、それぞれ対応する前記データ電極と前記ゲート電極を駆動するＬＣＤ駆動回路、前記ＬＣＤ駆動回路にのみ設置され、第一表示データのガンマ値を調整し、第二表示データを出力するガンマ補正を含む。
【００２３】
本発明のデジタル画像信号処理装置は、デジタル画像信号を保存するディスプレイメモリ、第一回路板に設置され、前記デジタル画像信号に対応する画像サイズを調整し、第一表示データを出力するスケーラーを含み、複数のディスプレイセルを含み、対応する複数のデータ電極と複数のゲート電極にそれぞれ接続され、第二表示データに基づいて対応する画像データを表示する液晶ディスプレイパネル、データドライバとゲートドライバを含み、それぞれ対応する前記データ電極と前記ゲート電極を駆動する液晶ディスプレイ駆動回路、及び前記液晶ディスプレイ駆動回路と前記スケーラーの間に接続される第二回路板を含む液晶ディスプレイモジュール、及び前記第二回路板と前記液晶ディスプレイ駆動回路にのみ設置され、前記第一表示データの明度を調整し、調整結果に基づいて前記第二表示データを出力する複数のガンマ補正を含む。
【００２４】
本発明のデジタル画像信号処理装置は、デジタル画像信号を保存するディスプレイメモリを含み、複数のディスプレイセルを含み、対応する複数のデータ電極と複数のゲート電極にそれぞれ接続され、表示データに基づいて対応する画像データを表示する液晶ディスプレイパネル、データドライバとゲートドライバを含み、それぞれ対応する前記データ電極と前記ゲート電極を駆動する液晶ディスプレイ駆動回路、及び第一回路板に設置され、前記液晶ディスプレイ駆動回路を制御し、前記ディスプレイセルの表示順とタイミングを決めるタイミング制御装置を含む液晶ディスプレイモジュール、前記液晶ディスプレイ駆動回路にのみ設置され、前記表示データの明度を調整し、調整結果に基づいて前記表示データを出力する複数のガンマ補正を含む。
【発明の効果】
【００２５】
本発明は、特定機能を備え、異なる表示システムに対応した複数種のＬＣＤディスプレイシステムを提供する。本発明は、特定サイズを有するＬＣＤの統合を改善する。例えば、小型のＬＣＤは、通常、低解像度を要するため、そのガンマ補正とタイミング制御装置は、ＤＡＣと統合されることがある。一方、大型のＬＣＤは、通常、高解像度を要するため、そのガンマ補正とタイミング制御装置は、ＬＣＤ外部のスケーラーと統合され、そのＤＡＣは、ＬＣＤモジュールのＬＣＤ駆動回路と統合され得る。そして、本発明は、異なる統合構造を備えたデジタルビデオ信号処理装置を提供し、従来技術のように、ガンマ補正のための余分なスペースとコストを削減することができる。また、ガンマ補正も簡略化される。
【発明を実施するための最良の形態】
【００２６】
本発明についての目的、特徴、長所が一層明確に理解されるよう、以下に実施形態を例示し、図面を参照しながら詳細に説明する。
【００２７】
実施例１
図３は、本発明の実施例１に基づいたＬＣＤの処理装置のブロック図である。ディスプレイのデジタル画像信号は、ディスプレイメモリ２０に保存される。また、ビデオ信号は、多くの異なる解像度を有することができるが、ＬＣＤのディスプレイ解像度と画素位置は、ＴＦＴアレイが完成した際に定められる。画像解像度の調整にはスケーラーが必要となる。よって、ディスプレイメモリ２０から出力された信号は、ＬＣＤパネル２８のサイズに基づいて、スケーラー２２２によってスケールされる。
【００２８】
ガンマ補正２５は、スケーラー２２２と共に第一回路板２２に設置され、デジタルビデオ信号に基づいて、表示データのガンマ値を調整する。第一回路板２２は、その上に、ＯＳＤ２２４と、ＭＣＵ２２６を更に含む。ＯＳＤ２２４は、ＬＣＤを調整するための特定パラメータのステータス情報を表示する。特定パラメータは、明度、コントラスト、ディスプレイの同期に関連する。ＭＣＵ２２６は、信号符号化又はデインタレース処理を含むビデオ信号と、ＯＳＤ２２４に正確な画像、又は、表示文字の形式を表示させる制御を処理する。ここでは、第一回路板２２の回路は、ホストＰＣとＬＣＤモジュール２００間の信号伝達を処理する。
【００２９】
第一回路板２２によって処理された信号は、次に、ＬＣＤモジュール２００に提供される。ＬＣＤモジュール２００は、ＬＣＤ駆動回路２６、ＬＣＤパネル２８を含む。
【００３０】
ＬＣＤ駆動回路２６は、反転回路２６２、デジタル‐アナログコンバータ２６４、データドライバ２６６Ａと、ゲートドライバ２６６Ｂを含む。反転回路２６２は、ディスプレイセルの液晶分子の表示極性を調整する。ＤＡＣ２６４は、第一回路板２４からＬＣＤ駆動回路２６に提供されたデジタル信号をアナログ信号に変換する。
【００３１】
図４は、ＬＣＤ駆動回路２６とＬＣＤパネル２８を示す回路図である。ＬＣＤパネル２８は、交差したデータ電極（Ｄ１、Ｄ２・・・）とゲート電極（Ｇ１、Ｇ２・・・）を含み、各交差したデータ電極とゲート電極は、ディスプレイセルを制御する。例として、交差したデータ電極Ｄ１とゲート電極Ｇ１は、ディスプレイセル２５０を制御する。各ディスプレイセルの等価回路は、薄膜トランジスタ（ＴＦＴｓ）（Ｑ１１、Ｑ１２、Ｑ２１、Ｑ２２・・・）と蓄積キャパシタ（Ｃ１１、Ｃ１２、Ｃ２１、Ｃ２２・・・）を含む。ＴＦＴのゲートとドレインは、それぞれゲート電極とデータ電極に接続される。このような接続は、ゲート電極に入力されたスキャン信号を用いて同一列（同一スキャンラインに位置された）上の全てのＴＦＴをオン／オフにすることができ、よってデータ電極のビデオ信号が対応するディスプレイセルに書き込まれるように制御する。
【００３２】
また、ゲートドライバ２６６Ｂは、既定の順序に基づいて、一つ、又は、一つ以上のスキャン信号（スキャンパルス）を各ゲート電極に出力する。スキャン信号が一つのゲート電極に入力された時、同一列（又はスキャンライン）上の全てのディスプレイセル内にあるＴＦＴは、オンにされ、その他の列（又はスキャンライン）の全てのディスプレイセル内にあるＴＦＴは、オフにされる。スキャンラインが選ばれたとき、データドライバ２６６Ａは、表示される画像に基づいて対応するデータ電極を通して、ビデオ信号（グレー値）を各列のディスプレイセルに出力する。ゲートドライバ２６６Ｂが連続して全ての列をスキャンした後、単一フレームの表示が完成する。全ディスプレイセルのスキャンの繰返しにより、連続して画像を表示する目的を達成する。
【００３３】
図３に示す実施例では、ＬＣＤシステムのガンマ値は、ＬＣＤモジュール２００外部の第一回路板２２に配置された単一のガンマ補正２５によって調整される。よって、ＬＣＤモジュール２００のガンマ補正が省かれ、従来技術のようなガンマ補正のためのＬＣＤモジュール２００の余分なスペースとコストが削減される。また、ガンマ補正は、単一のガンマ補正だけが実施されることから簡易化され、従来技術の複数のガンマ補正によって影響された画像のガンマ値を防ぐ。
【００３４】
実施例２
図５は、本発明の実施例２に基づいたＬＣＤの処理装置のブロック図である。図５において、図３の構成要素に対応するものについては、同じ符号を用いており、記述を簡略化するためにその説明は省略する。図５に示す実施例では、ガンマ補正２５は、ＬＣＤモジュール２００のＬＣＤ駆動回路２６に設置され、第一回路板２２から受けたデジタルビデオ信号に基づいて表示データのガンマ値を調整する。この実施例では、第一回路板２２にはガンマ補正を備えていない。また、ガンマ補正２５によって処理されたビデオ信号はＤＡＣ２６４によってアナログビデオ信号に変換され、対応するデータ電極に入力される。よって、ＬＣＤパネル２８は、ビデオ信号に対応するガンマ値を有する画像を表示する。
【００３５】
また、ＬＣＤディスプレイシステムのガンマ値は、単一のガンマ補正２５によって調整される。この実施例では、ＬＣＤモジュール２００のみがその上にガンマ補正２５を含むため、ＬＣＤモジュール２００外部の第一回路板２２のガンマ補正が省かれ、従来技術のようなガンマ補正のための余分なスペースとコストが削減される。また、ガンマ補正は、単一のガンマ補正だけが実施されることから簡易化され、従来技術の複数のガンマ補正によって影響されたデータのガンマ値を防ぐ。
【００３６】
実施例３
図６は、本発明の実施例３に基づいたＬＣＤの処理装置のブロック図である。図６において、図３の構成要素に対応するものについては、同じ符号を用いており、記述を簡略化するためにその説明は省略する。図６に示す実施例では、第二回路板２４がＬＣＤモジュール２００に加えられており、ＬＣＤ駆動回路２６とＬＣＤモジュール２００外部の第一回路板２２の間に接続されて、第二回路板２４に設置されたガンマ補正２５を構成し、第二回路板２４で受けたデジタルビデオ信号に基づいてデータの表示ガンマ値を調整する。この実施例では、第一回路板２２は、ガンマ補正を備えていない。また、ガンマ補正２５によって処理されたビデオ信号は、ＬＣＤ駆動回路２６に提供され、ＤＡＣ２６４によって変換された後、ビデオ信号は、対応するデータ電極に提供される。よって、ＬＣＤパネル２８は、ビデオ信号に対応するガンマ値を有する画像を表示する。
【００３７】
また、ＬＣＤディスプレイシステムのガンマ値は、単一のガンマ補正２５によって調整される。この実施例では、ＬＣＤモジュール２００のみがその上にガンマ補正２５を含むため、ＬＣＤモジュール２００外部の第一回路板２２のガンマ補正が省かれ、従来技術のようなガンマ補正のための余分なスペースとコストが削減される。また、ガンマ補正は、単一のガンマ補正だけが実施されることから簡易化され、従来技術の複数のガンマ補正によって影響されたデータのガンマ値を防ぐ。
【００３８】
実施例４
図７は、本発明の実施例４に基づいたＬＣＤの処理装置のブロック図である。図７において、図３の構成要素に対応するものについては、同じ符号を用いており、記述を簡略化するためにその説明は省略する。図７に示す実施例では、第二回路板２４がＬＣＤモジュール２００に設置されており、ＬＣＤ駆動回路２６とＬＣＤモジュール２００外部の第一回路板２２の間に接続されて、ガンマ補正２５Ｂを構成し、第二回路板２４で受けたデジタルビデオ信号に基づいて表示データのガンマ値を調整する。よって、ＬＣＤパネル２８によって表示された画像のガンマ値は、第一回路板２２と第二回路板２４に設置されたガンマ補正２５Ａと２５Ｂによってそれぞれ調整され、ＬＣＤ駆動回路２６のガンマ補正は省かれる。
【００３９】
また、ガンマ補正２５Ｂによって処理されたビデオ信号は、ＬＣＤ駆動回路２６に提供され、ＤＡＣ２６４によって変換された後、ビデオ信号は、対応するデータ電極に提供される。よって、ＬＣＤパネル２８は、ビデオ信号に対応するガンマ値を有する画像を表示する。
【００４０】
そして、ＬＣＤディスプレイシステムのガンマ値は、ガンマ補正２５Ａと２５Ｂによって調整される。この実施例では、ＬＣＤ駆動回路２６のガンマ補正は省かれ、従来技術のようなガンマ補正のための余分なスペースとコストが削減される。
【００４１】
実施例５
図８は、本発明の実施例５に基づいたＬＣＤの処理装置のブロック図である。図８において、図３の構成要素に対応するものについては、同じ符号を用いており、記述を簡略化するためにその説明は省略する。図８に示す実施例では、第二回路板２４がＬＣＤモジュール２００に加えられており、ＬＣＤ駆動回路２６とＬＣＤモジュール２００外部の第一回路板２２の間に接続されて、ガンマ補正２５Ｂを構成し、第二回路板２４に提供されたデジタルビデオ信号に基づいて表示データのガンマ値を調整する。また、ＬＣＤ駆動回路２６は、その上にガンマ補正２５Ｃを更に含み、第二回路板２４から受けたデジタルビデオ信号に基づいて表示データのガンマ値を調整する。よって、ＬＣＤパネル２８によって表示された画像のガンマ値は、第二回路板２４とＬＣＤ駆動回路２６に設置されたガンマ補正２５Ｂと２５Ｃによってそれぞれ調整され、第一回路板２２のガンマ補正は省かれる。
【００４２】
また、ＬＣＤディスプレイシステムのガンマ値は、ガンマ補正２５Ｂと２５Ｃによって調整される。この実施例では、第一回路板２２のガンマ補正は省かれ、従来技術のようなガンマ補正のための余分なスペースとコストが削減される。
【００４３】
実施例６
図９は、本発明の実施例６に基づいたＬＣＤの処理装置のブロック図である。ディスプレイのデジタル画像信号は、ディスプレイメモリ３０に保存される。第二回路板３２は、その上に、オンスクリーンディスプレイ（ＯＳＤ）装置３２４を含む。必要に応じて、第二回路板３２は、その上に、マイクロコントロールユニット（ＭＣＵ）３２６を更に含む。ＯＳＤ３２４は、ＬＣＤを調整するための特定パラメータのステータス情報を表示する。特定パラメータは、明度、コントラスト、ディスプレイの同期に関連する。ＭＣＵ３２６は、信号符号化又はデインタレース処理を含むビデオ信号と、ＯＳＤ３２４の表示を処理する。ここでは、第二回路板３２の上の回路は、ホストＰＣとＬＣＤモジュール３００間の信号伝達を処理する。
【００４４】
第二回路板３２によって処理された信号は、ＬＣＤモジュール３００に出力される。ＬＣＤモジュール３００は、ＬＣＤ駆動回路３６、ＬＣＤパネル３８、その上にタイミング制御装置３４２を含む第一回路板３４を含む。タイミング制御装置３４２は、ＬＣＤ駆動回路３６を制御し、ＬＣＤパネル３８のディスプレイセルの表示順とタイミングを決める。
【００４５】
ＬＣＤモジュール３００は、ＬＣＤ駆動回路３６とＬＣＤモジュール３００外側の第二回路板３２の間に接続された第一回路板３４を含み、その上にガンマ補正３５を有し、第一回路板３４で受けたビデオ信号のガンマ値を調節する。
【００４６】
ＬＣＤ駆動回路３６は、反転回路３６２、デジタル‐アナログコンバータ（ＤＡＣ）３６４、データドライバ３６６Ａと、ゲートドライバ３６６Ｂを含む。反転回路３６２は、ディスプレイセルの液晶分子の表示極性を調整する。ＤＡＣ３６４は、ＬＣＤ駆動回路３６から提供されたデジタル信号をアナログビデオ信号に変換し、アナログビデオ信号を対応するＬＣＤパネル３８のデータ電極に入力する。
【００４７】
ＬＣＤ駆動回路３６のデータドライバ３６６Ａとゲートドライバ３６６Ｂと、ＬＣＤパネル３８は、図２に示されており、記述を簡略化するためにその説明を省略する。
【００４８】
図９に示す実施例では、全ＬＣＤディスプレイシステムのガンマ値は、単一のガンマ補正３５によって調整される。この実施例では、ＬＣＤモジュール３００のみがその上にガンマ補正３５を含むため、ＬＣＤモジュール３００外部の第二回路板３２のガンマ補正が省かれ、従来技術のようなガンマ補正のための余分なスペースとコストが削減される。また、ガンマ補正は、単一のガンマ補正だけが実施されることから簡易化され、従来技術の複数のガンマ補正によって影響されたデータのガンマ値を防ぐ。
【００４９】
実施例７
図１０は、本発明の実施例７に基づいたＬＣＤの処理装置のブロック図である。図１０において、図９の構成要素に対応するものについては、同じ符号を用いており、記述を簡略化するためにその説明は省略する。図１０に示す実施例では、ガンマ補正３５は、ＬＣＤモジュール３００のＬＣＤ駆動回路３６に設置され、第二回路板３２で受けたデジタルビデオ信号に基づいて表示データのガンマ値を調整する。この実施例では、第一回路板３４は、その上にガンマ補正を備えていない。また、ビデオ信号は、ＬＣＤ駆動回路３６のガンマ補正３５によって処理され、ＤＡＣ３６４によってアナログビデオ信号に変換した後、アナログビデオ信号は、対応するデータ電極に提供される。よって、ＬＣＤパネル３８は、ビデオ信号に対応するガンマ値を有する画像を表示する。
【００５０】
また、ＬＣＤディスプレイシステムのガンマ値は、単一のガンマ補正３５によって調整される。この実施例では、ＬＣＤモジュール３００は、その上にガンマ補正３５を含み、よって、ＬＣＤモジュール３００の第一回路板３４のガンマ補正が省かれ、従来技術のようなガンマ補正のための余分なスペースとコストが削減される。また、ガンマ補正は、単一のガンマ補正だけが実施されることから簡易化され、従来技術の複数のガンマ補正によって影響されたデータのガンマ値を防ぐ。
【００５１】
実施例８
図１１は、本発明の実施例８に基づいたＬＣＤの処理装置のブロック図である。図１１において、図９の構成要素に対応するものについては、同じ符号を用いており、記述を簡略化するためにその説明は省略する。図１１に示す実施例では、全ＬＣＤディスプレイシステムのガンマ値は、単一のガンマ補正３５によって調整される。この実施例では、ガンマ補正３５は、ＬＣＤモジュール３００外部の第二回路板３２に設置される。よって、ガンマ補正は、ガンマ補正３５によって直接、行われる。また、ＬＣＤモジュール３００のガンマ調節が省かれ、従来技術のようなガンマ補正のための余分なスペースとコストが削減される。また、ガンマ補正は、単一のガンマ補正だけが実施されることから簡易化され、従来技術の複数のガンマ補正によって影響されたデータのガンマ値を防ぐ。
【００５２】
実施例９
図１２は、本発明の実施例９に基づいたＬＣＤの処理装置のブロック図である。図１２において、図９の構成要素に対応するものについては、同じ符号を用いており、記述を簡略化するためにその説明は省略する。図１２に示す実施例では、ガンマ補正３５Ａが第二回路板３２に加えられ、第二回路板３２で受けたデジタルビデオ信号に基づいてデータの表示ガンマ値を調整する。よって、ＬＣＤパネル３８によって表示された画像のガンマ値は、第二回路板３２と第一回路板３４に設置されたガンマ補正３５Ａと３５Ｂによってそれぞれ調整され、ＬＣＤ駆動回路３６のガンマ補正は省かれる。
【００５３】
また、ガンマ補正３５Ｂによって処理されたビデオ信号は、ＬＣＤ駆動回路３６に提供され、ビデオ信号がＤＡＣ３６４によってアナログビデオ信号に変換された後、アナログビデオ信号は、対応するデータ電極に提供される。よって、ＬＣＤパネル３８は、ビデオ信号に対応するガンマ値を有する画像を表示する。
【００５４】
そして、全ＬＣＤディスプレイシステムのガンマ値は、ガンマ補正３５Ａと３５Ｂによって調整される。この実施例では、ＬＣＤ駆動回路３６のガンマ補正は省かれ、従来技術のようなガンマ補正のための余分なスペースとコストが削減される。
【００５５】
実施例１０
図１３は、本発明の実施例１０に基づいたＬＣＤの処理装置のブロック図である。図１３において、図９の構成要素に対応するものについては、同じ符号を用いており、記述を簡略化するためにその説明は省略する。図１３に示す実施例では、ガンマ補正３５ＣがＬＣＤ駆動回路３６に加えられ、ＬＣＤパネル３８に提供されたデジタルビデオ信号に基づいてデータの表示ガンマ値を調整する。よって、ＬＣＤパネル３８によって表示された画像のガンマ値は、第一回路板３４とＬＣＤ駆動回路３６に設置されたガンマ補正３５Ｂと３５Ｃによってそれぞれ調整され、第二回路板３２のガンマ補正は省かれる。
【００５６】
また、ガンマ補正は、ガンマ補正３５Ｂと３５ＣによってＬＣＤモジュール３００に行われる。この実施例では、第二回路板３２のガンマ補正は省かれ、従来技術のようなガンマ補正のための余分なスペースとコストが削減される。
【００５７】
実施例１１
図１４は、本発明の実施例１１に基づいたＬＣＤの処理装置のブロック図である。図１４において、図９の構成要素に対応するものについては、同じ符号を用いており、記述を簡略化するためにその説明は省略する。図１４に示す実施例では、ガンマ補正３５Ａが第二回路板３２に加えられ、第二回路板３２で受けたデジタルビデオ信号に基づいて表示データのガンマ値を調整する。また、ガンマ補正３５ＣもＬＣＤ駆動回路３６に加えられ、ＬＣＤパネル３８に提供されたデジタルビデオ信号に基づいて表示データのガンマ値を調整する。よって、ＬＣＤパネル３８によって表示された画像のガンマ値は、第二回路板３２とＬＣＤ駆動回路３６のガンマ補正３５Ａと３５Ｃによってそれぞれ調整され、第一回路板３４のガンマ補正は省かれる。
【００５８】
また、全ＬＣＤディスプレイシステムのガンマ値は、ガンマ補正３５Ａと３５Ｃによって調整される。この実施例では、第一回路板３４のガンマ補正は省かれ、従来技術のようなガンマ補正のための余分なスペースとコストが削減される。
【００５９】
実施例１２
図１５は、本発明の実施例１２に基づいたＬＣＤの処理装置のブロック図である。ディスプレイのデジタル画像信号は、ディスプレイメモリ４０に保存される。また、ビデオ信号は、多くの異なる解像度を有することができるが、ＬＣＤのディスプレイ解像度と画素位置は、ＴＦＴアレイが完成したときに定められる。画像解像度の調整にはスケーラーが必要となる。よって、ディスプレイメモリ４０から出力された信号は、ＬＣＤパネル４８のサイズに基づいて、スケーラー４２２によってスケールされ、スケーラー４２２は、第一回路板４２に設置される。
【００６０】
ガンマ補正４５は、第一回路板２２に設置され、デジタルビデオ信号に基づいて表示データのガンマ値を調整する。第一回路板４２は、その上に、オンスクリーンディスプレイ４２４装置と、マイクロコントロールユニット４２６を更に含む。ＯＳＤ４２４は、ＬＣＤを調整するための特定パラメータのステータス情報を表示する。特定パラメータは、明度、コントラスト、ディスプレイの同期に関連する。ＭＣＵ４２６は、信号符号化又はデインタレース処理を含むビデオ信号と、ＯＳＤ４２４の表示を処理する。ここでは、第一回路板４２の回路は、ホストＰＣとＬＣＤモジュール４００間の信号伝達を処理する。
【００６１】
第一回路板４２によって処理された信号は、ＬＣＤモジュール４００に提供される。ＬＣＤモジュール４００は、その上にＬＣＤ駆動回路４６、ＬＣＤパネル４８、その上に第二回路板４４を含み、第二回路板４４は、その上にタイミング制御装置４４２を含む。タイミング制御装置４４２は、ＬＣＤ駆動回路４６を制御し、ＬＣＤパネル４８のディスプレイセルの表示順とタイミングを決める。第二回路板４４は、ＬＣＤ駆動回路４６とＬＣＤモジュール４００外部の第一回路板４２の間に接続される。
【００６２】
ＬＣＤ駆動回路４６は、その上に反転回路４６２、デジタル−アナログコンバータ４６４、データドライバ４６６Ａと、ゲートドライバ４６６Ｂを含む。反転回路４６２は、ディスプレイセルの液晶分子の表示極性を調整する。ＤＡＣ４６４は、ＬＣＤ駆動回路４６から提供されたデジタル信号をアナログビデオ信号に変換し、アナログビデオ信号を対応するＬＣＤパネル４８のデータ電極に入力する。
【００６３】
ＬＣＤ駆動回路４６のデータドライバ４６６Ａとゲートドライバ４６６Ｂと、ＬＣＤパネル４８の記述は、図２に示され、記述を簡略化するためにその説明は省かれている。
【００６４】
図１５に示す実施例では、ＬＣＤディスプレイシステムのガンマ値は、単一のガンマ補正４５によって調整される。この実施例では、ガンマ補正４５は、ＬＣＤモジュール４００外部の第一回路板４２に配置される。よって、ガンマ補正は、ガンマ補正４５によって直接行われる。また、ＬＣＤモジュール４００のガンマ調節が省かれ、従来技術のようなガンマ補正のための余分なスペースとコストが削減される。また、単一のガンマ補正だけが実施されることから、ガンマ補正は簡易化され、従来技術の複数のガンマ補正によって影響されたデータのガンマ値を防ぐ。
【００６５】
実施例１３
図１６は、本発明の実施例１３に基づいたＬＣＤの処理装置のブロック図である。図１６において、図１５の構成要素に対応するものについては、同じ符号を用いており、記述を簡略化するためにその説明は省略する。図１６に示す実施例では、ガンマ補正４５は、ＬＣＤモジュール４００のＬＣＤ駆動回路４６に設置され、第二回路板４４で受けたデジタルビデオ信号に基づいて表示データのガンマ値を調整する。この実施例では、第一回路板４２は、その上にガンマ補正を備えていない。また、ビデオ信号は、ＬＣＤ駆動回路４６のガンマ補正４５によって処理され、ビデオ信号がＤＡＣ４６４によってアナログビデオ信号に変換された後、アナログビデオ信号は、対応するデータ電極に提供される。よって、ＬＣＤパネル４８は、ビデオ信号に対応するガンマ値を有する画像を表示する。
【００６６】
また、全ＬＣＤディスプレイシステムのガンマ値は、単一のガンマ補正４５によって調整される。この実施例では、ＬＣＤモジュール４００のみがガンマ補正４５を含むため、第一回路板４２のガンマ補正が省かれ、従来技術のようなガンマ補正のための余分なスペースとコストが削減される。また、ガンマ補正は、単一のガンマ補正だけが実施されることから簡易化され、従来技術の複数のガンマ補正によって影響された画像のガンマ値を防ぐ。
【００６７】
実施例１４
図１７は、本発明の実施例１４に基づいたＬＣＤの処理装置のブロック図である。図１７において、図１５の構成要素に対応するものについては、同じ符号を用いており、記述を簡略化するためにその説明は省略する。図１７に示す実施例では、ガンマ補正４５は、第二回路板４４に設置され、第二回路板４４で受けたデジタルビデオ信号に基づいて表示データのガンマ値を調整する。この実施例では、第一回路板４２は、その上にガンマ補正を備えていない。
【００６８】
また、ＬＣＤディスプレイシステムのガンマ値は、単一のガンマ補正４５によって調整される。この実施例では、ＬＣＤモジュール４００のみがガンマ補正４５を含むため、ＬＣＤモジュール４００外部の第一回路板４２のガンマ補正が省かれ、従来技術のようなガンマ補正のための余分なスペースとコストが削減される。また、ガンマ補正は、単一のガンマ補正だけが実施されることから簡易化され、従来技術の複数のガンマ補正によって影響された画像のガンマ値を防ぐ。
【００６９】
実施例１５
図１８は、本発明の実施例１５に基づいたＬＣＤの処理装置のブロック図である。図１８において、図１５の構成要素に対応するものについては、同じ符号を用いており、記述を簡略化するためにその説明は省略する。図１８に示す実施例では、第二回路板４４は、ガンマ補正４５を更に含み、ＬＣＤ駆動回路４６とＬＣＤモジュール４００外部の第一回路板４２の間に接続され、第二回路板４４で受けたデジタルビデオ信号に基づいて表示データのガンマ値を調整する。よって、ＬＣＤパネル４８によって表示された画像のガンマ値は、第一回路板４２と第二回路板４４に設置されたガンマ補正４５Ａと４５Ｂによってそれぞれ調整され、ＬＣＤ駆動回路４６のガンマ補正は省かれる。
【００７０】
また、第二回路板４４のガンマ補正４５Ｂによって処理されたビデオ信号は、ＬＣＤ駆動回路４６に提供され、ビデオ信号がＤＡＣ４６４によってアナログビデオ信号に変換された後、アナログビデオ信号は、対応するデータ電極に提供される。よって、ＬＣＤパネル４８は、ビデオ信号に対応するガンマ値を有する画像を表示する。
【００７１】
そして、ＬＣＤディスプレイシステムのガンマ値は、ガンマ補正４５Ａと４５Ｂによって調整される。この実施例では、ＬＣＤ駆動回路４６のガンマ補正は省かれ、従来技術のようなガンマ補正のための余分なスペースとコストが削減される。
【００７２】
実施例１６
図１９は、本発明の実施例１６に基づいたＬＣＤの処理装置のブロック図である。図１９において、図１５の構成要素に対応するものについては、同じ符号を用いており、記述を簡略化するためにその説明は省略する。図１９に示す実施例では、ＬＣＤ駆動回路４６は、その上にガンマ補正４５Ｃを更に含み、第二回路板４４で提供されたデジタルビデオ信号に基づいて表示データのガンマ値を調整する。よって、ＬＣＤパネル４８によって表示された画像のガンマ値は、第一回路板４４とＬＣＤ駆動回路４６に設置されたガンマ補正４５Ｂと４５Ｃによってそれぞれ調整され、第一回路板４２のガンマ補正は省かれる。
【００７３】
また、ガンマ補正は、ガンマ補正４５Ｂと４５ＣによってＬＣＤモジュール４００にのみ行われる。この実施例では、第一回路板４２のガンマ補正は省かれ、従来技術のようなガンマ補正のための余分なスペースとコストが削減される。
【００７４】
実施例１７
図２０は、本発明の実施例１７に基づいたＬＣＤの処理装置のブロック図である。図２０において、図１５の構成要素に対応するものについては、同じ符号を用いており、記述を簡略化するためにその説明は省略する。図２０に示す実施例では、ガンマ補正４５Ａが第二回路板４２に加えられ、デジタルビデオ信号に基づいて表示データのガンマ値を調整する。また、ガンマ補正４５Ｃは、ＬＣＤ駆動回路４６に加えられ、デジタルビデオ信号に基づいて表示データのガンマ値を調整する。よって、ＬＣＤパネル４８によって表示された画像のガンマ値は、第一回路板４２とＬＣＤ駆動回路４６に設置されたガンマ補正４５Ａと４５Ｃによってそれぞれ調整され、第二回路板４４のガンマ補正は省かれる。
【００７５】
また、ＬＣＤディスプレイシステムのガンマ値は、ガンマ補正４５Ａと４５Ｃによって調整される。この実施例では、第二回路板４４のガンマ補正は省かれ、従来技術のようなガンマ補正のための余分なスペースとコストが削減される。
【図面の簡単な説明】
【００７６】
【図１】従来のＬＣＤの画像信号処理システムを示す図である。
【図２】従来のＬＣＤ駆動回路とＬＣＤパネルを示す回路図である。
【図３】本発明の実施例１に基づいたＬＣＤの処理装置のブロック図である。
【図４】ＬＣＤ駆動回路とＬＣＤパネルを示す回路図である。
【図５】本発明の実施例２に基づいたＬＣＤの処理装置のブロック図である。
【図６】本発明の実施例３に基づいたＬＣＤの処理装置のブロック図である。
【図７】本発明の実施例４に基づいたＬＣＤの処理装置のブロック図である。
【図８】本発明の実施例５に基づいたＬＣＤの処理装置のブロック図である。
【図９】本発明の実施例６に基づいたＬＣＤの処理装置のブロック図である。
【図１０】本発明の実施例７に基づいたＬＣＤの処理装置のブロック図である。
【図１１】本発明の実施例８に基づいたＬＣＤの処理装置のブロック図である。
【図１２】本発明の実施例９に基づいたＬＣＤの処理装置のブロック図である。
【図１３】本発明の実施例１０に基づいたＬＣＤの処理装置のブロック図である。
【図１４】本発明の実施例１１に基づいたＬＣＤの処理装置のブロック図である。
【図１５】本発明の実施例１２に基づいたＬＣＤの処理装置のブロック図である。
【図１６】本発明の実施例１３に基づいたＬＣＤの処理装置のブロック図である。
【図１７】本発明の実施例１４に基づいたＬＣＤの処理装置のブロック図である。
【図１８】本発明の実施例１５に基づいたＬＣＤの処理装置のブロック図である。
【図１９】本発明の実施例１６に基づいたＬＣＤの処理装置のブロック図である。
【図２０】本発明の実施例１７に基づいたＬＣＤの処理装置のブロック図である。
【符号の説明】
【００７７】
１０、２０、３０、４０  ディスプレイメモリ
１２、２２、３４、４２  第一回路板
１４、２４、３２、４２  第二回路板
１２２、２２２、４２２  スケーラー
１２４、２２４、３２４、４２４  オンスクリーンディスプレイ
１２６、２２６、３２６、４２６  マイクロコントロールユニット
１００、２００、３００、４００  液晶ディスプレイモジュール
１４２、３４２、４４２  タイミング制御装置
１５０、２５０  ディスプレイセル
１６、２６、３６、４６  液晶ディスプレイ駆動回路
１６２、２６２、３６２、４６２  液晶極性反転回路
１６４、２６４、３６４、４６４  デジタル‐アナログ反転回路
１６６Ａ、２６６Ａ、３６６Ａ、４６６Ａ  データドライバ
１６６Ｂ、２６６Ｂ、３６６Ｂ、４６６Ｂ  ゲートドライバ
１２０Ａ、１２０Ｂ、１２０Ｃ、２５、２５Ａ、２５Ｂ、２５Ｃ、３５、３５Ａ、３５Ｃ、４５、４５Ａ、４５Ｂ、４５Ｃ  ガンマ補正
１８、２８、３８、４８  液晶ディスプレイパネル
Ｃ１１、Ｃ１２、Ｃ２１、Ｃ２２  蓄積キャパシタ
Ｄ１、Ｄ２  データ電極
Ｇ１、Ｇ２  ゲート電極
Ｑ１１、Ｑ１２、Ｑ２１、Ｑ２２  薄膜トランジスタ
【図１】
2005326856.tif 000003
【図２】
2005326856.tif 000004
【図３】
2005326856.tif 000005
【図４】
2005326856.tif 000006
【図５】
2005326856.tif 000007
【図６】
2005326856.tif 000008
【図７】
2005326856.tif 000009
【図８】
2005326856.tif 000010
【図９】
2005326856.tif 000011
【図１０】
2005326856.tif 000012
【図１１】
2005326856.tif 000013
【図１２】
2005326856.tif 000014
【図１３】
2005326856.tif 000015
【図１４】
2005326856.tif 000016
【図１５】
2005326856.tif 000017
【図１６】
2005326856.tif 000018
【図１７】
2005326856.tif 000019
【図１８】
2005326856.tif 000020
【図１９】
2005326856.tif 000021
【図２０】
2005326856.tif 000022